(57)【特許請求の範囲】
【請求項１】
第１〜第ｎ＋２（ｎは４以上の偶数）の綜絖枠を備える織機による製織方法であって、織物の幅方向に連続する４本の経糸を一組とし、幅方向に順に第１〜第ｎ組と規定し、各組を構成する４本の経糸を幅方向に順に第１経糸、第２経糸、第３経糸、第４経糸と規定し、更に、第１〜第ｎ／２組のうちの任意の一組と、当該任意の一組から幅方向にｎ／２組離れた組を一対の関係とする関係付けを第１〜第ｎの全ての組に対して行なった上で、
全ての組で第１経糸を第１綜絖枠の綜絖に通すと共に第４経糸を第２綜絖枠の綜絖に通し、
一対の関係にある２つの組で第２経糸を引き込む綜絖枠と第３経糸を引き込む綜絖枠を反対にすると共に、
第１〜第ｎ＋２綜絖枠のうち、第１及び第２綜絖枠以外の各綜絖枠については、第２経糸と第３経糸を一本ずつしか通さないことを特徴とする製織方法。
【請求項２】
第１〜第ｎ＋２（ｎは４以上の偶数）の綜絖枠を備える織機による製織方法であって、織物の幅方向に連続する４本の経糸を一組とし、幅方向に順に第１〜第ｎ組と規定し、各組を構成する４本の経糸を幅方向に順に第１経糸、第２経糸、第３経糸、第４経糸と規定し、更に、第１〜第ｎ／２組のうちの任意の一組と、当該任意の一組から幅方向にｎ／２組離れた組を一対の関係とする関係付けを第１〜第ｎの全ての組に対して行なった上で、
全ての組で第１経糸を第１綜絖枠の綜絖に通すと共に第３経糸を第２綜絖枠の綜絖に通し、
一対の関係にある２つの組で第２経糸を引き込む綜絖枠と第４経糸を引き込む綜絖枠を反対にすると共に、
第１〜第ｎ＋２綜絖枠のうち、第１及び第２綜絖枠以外の各綜絖枠については、第２経糸と第４経糸を一本ずつしか通さないことを特徴とする製織方法。
【請求項３】
第１〜第ｎ＋２（ｎは４以上の偶数）の綜絖枠を備える織機による製織方法であって、織物の幅方向に連続する４本の経糸を一組とし、幅方向に順に第１〜第ｎ組と規定し、各組を構成する４本の経糸を幅方向に順に第１経糸、第２経糸、第３経糸、第４経糸と規定し、更に、第１〜第ｎ／２組のうちの任意の一組と、当該任意の一組から幅方向にｎ／２組離れた組を一対の関係とする関係付けを第１〜第ｎの全ての組に対して行なった上で、
全ての組で第１経糸を第１綜絖枠の綜絖に通すと共に第２経糸を第２綜絖枠の綜絖に通し、
一対の関係にある２つの組で第３経糸を引き込む綜絖枠と第４経糸を引き込む綜絖枠を反対にすると共に、
第１〜第ｎ＋２綜絖枠のうち、第１及び第２綜絖枠以外の各綜絖枠については、第３経糸と第４経糸を一本ずつしか通さないことを特徴とする製織方法。
【請求項４】
第１〜第ｎ＋２（ｎは４以上の偶数）の綜絖枠を備える織機による製織方法であって、織物の幅方向に連続する４本の経糸を一組とし、幅方向に順に第１〜第ｎ組と規定し、各組を構成する４本の経糸を幅方向に順に第１経糸、第２経糸、第３経糸、第４経糸と規定し、更に、第１〜第ｎ／２組のうちの任意の一組と、当該任意の一組から幅方向にｎ／２組離れた組を一対の関係とする関係付けを第１〜第ｎの全ての組に対して行なった上で、
全ての組で第２経糸を第１綜絖枠の綜絖に通すと共に第４経糸を第２綜絖枠の綜絖に通し、
一対の関係にある２つの組で第１経糸を引き込む綜絖枠と第３経糸を引き込む綜絖枠を反対にすると共に、
第１〜第ｎ＋２綜絖枠のうち、第１及び第２綜絖枠以外の各綜絖枠については、第１経糸と第３経糸を一本ずつしか通さないことを特徴とする製織方法。
【請求項５】
第１〜第ｎ＋２（ｎは４以上の偶数）の綜絖枠を備える織機による製織方法であって、織物の幅方向に連続する４本の経糸を一組とし、幅方向に順に第１〜第ｎ組と規定し、各組を構成する４本の経糸を幅方向に順に第１経糸、第２経糸、第３経糸、第４経糸と規定し、更に、第１〜第ｎ／２組のうちの任意の一組と、当該任意の一組から幅方向にｎ／２組離れた組を一対の関係とする関係付けを第１〜第ｎの全ての組に対して行なった上で、
全ての組で第２経糸を第１綜絖枠の綜絖に通すと共に第３経糸を第２綜絖枠の綜絖に通し、
一対の関係にある２つの組で第１経糸を引き込む綜絖枠と第４経糸を引き込む綜絖枠を反対にすると共に、
第１〜第ｎ＋２綜絖枠のうち、第１及び第２綜絖枠以外の各綜絖枠については、第１経糸と第４経糸を一本ずつしか通さないことを特徴とする製織方法。
【発明の詳細な説明】
【技術分野】
【０００１】
本発明は、綜絖を上下動させることにより杼口を形成して緯糸を供給する織機を用いて図柄を製織する製織方法に関する。
【背景技術】
【０００２】
従来、開口装置によって複数の綜絖枠を上下に移動させることにより経糸を上下に分けて杼口を形成し、緯糸を供給して製織する織機が知られている。
織機は開口方式や緯糸の供給方式によって区分され、例えば開口方式の違いによってタペット織機、ドビー織機、ジャガード織機が知られており、緯糸の供給方式によってフライシャトル織機（有杼織機）、シャトルレス織機（無杼織機）が知られている。
例えばドビー織機を用いる場合における織物組織の設計作業にあたっては、予め使用する糸の種類、織物の幅及び長さ、糸量等を計算した上で、織物の組織図、経糸を綜絖枠に通すための引込図、ドビー装置（開口装置）を動作させるための紋栓図を作成する。以下の説明においては、組織図、紋栓図及び引込図をまとめて織方図と呼ぶものとする。
【０００３】
織方図の作成はかつては熟練した作業者が方眼紙に手作業で書き込むことが一般的であったが、近年ではソフトウェアを用いることが多くなっている（特許文献１及び２参照）。
図１３は織方図の一例を示すものであり、１／２の綾織（斜文織）の組織図（ａ）を、綜絖枠を１２枚使用し、経糸の引込をいわゆる順通しにして引込図（ｂ）と紋栓図（ｃ）とに分解したものである
組織図においては経糸が浮いている点にあたる方眼の目を黒く塗りつぶして表している。また、引込図においては最も織前側の綜絖枠を図中の最下方に表しており、各枠の黒で塗りつぶした位置に経糸を通している。
紋栓図においては最も織前側の綜絖枠を図中の最左方に表しており、１回目、２回目、・・・と連続する開口ステップにおいて黒く塗りつぶした枠を開口装置で上昇させることで杼口を形成する仕組みになっている。
なお、本願発明者は織方図の作成過程を簡略化すると共に木目柄に代表される複雑な柄を製織可能にする製織方法を開発し、特許権を取得している（特許文献３参照）。
【先行技術文献】
【特許文献】
【０００４】
【特許文献１】特開２００７−２９７７２４号公報
【特許文献２】特開２００８−６９４９５号公報
【特許文献３】特許第４６９８７６３号公報
【発明の概要】
【発明が解決しようとする課題】
【０００５】
しかし、従来技術では困難と考えられている図柄を描くことができるようになればデザインの幅が広がり、製織業界の発展に寄与することができる。
【０００６】
本発明はこのような問題に鑑み、これまで困難であった新規な図柄を描くことができる製織方法を提供することを目的とする。
【課題を解決するための手段】
【０００７】
本発明の製織方法は、第１〜第ｎ＋２（ｎは４以上の偶数）の綜絖枠を備える織機による製織方法であって、織物の幅方向に連続する４本の経糸を一組とし、幅方向に順に第１〜第ｎ組と規定し、各組を構成する４本の経糸を幅方向に順に第１経糸、第２経糸、第３経糸、第４経糸と規定し、更に、第１〜第ｎ／２組のうちの任意の一組と、当該任意の一組から幅方向にｎ／２組離れた組を一対の関係とする関係付けを第１〜第ｎの全ての組に対して行なった上で、全ての組で第１経糸を第１綜絖枠の綜絖に通すと共に第４経糸を第２綜絖枠の綜絖に通し、一対の関係にある２つの組で第２経糸を引き込む綜絖枠と第３経糸を引き込む綜絖枠を反対にすると共に、第１〜第ｎ＋２綜絖枠のうち、第１及び第２綜絖枠以外の各綜絖枠については、第２経糸と第３経糸を一本ずつしか通さないことを特徴とする。
【０００８】
また、第１〜第ｎ＋２（ｎは４以上の偶数）の綜絖枠を備える織機による製織方法であって、織物の幅方向に連続する４本の経糸を一組とし、幅方向に順に第１〜第ｎ組と規定し、各組を構成する４本の経糸を幅方向に順に第１経糸、第２経糸、第３経糸、第４経糸と規定し、更に、第１〜第ｎ／２組のうちの任意の一組と、当該任意の一組から幅方向にｎ／２組離れた組を一対の関係とする関係付けを第１〜第ｎの全ての組に対して行なった上で、全ての組で第１経糸を第１綜絖枠の綜絖に通すと共に第３経糸を第２綜絖枠の綜絖に通し、一対の関係にある２つの組で第２経糸を引き込む綜絖枠と第４経糸を引き込む綜絖枠を反対にすると共に、第１〜第ｎ＋２綜絖枠のうち、第１及び第２綜絖枠以外の各綜絖枠については、第２経糸と第４経糸を一本ずつしか通さないことを特徴とする。

【０００９】
また、第１〜第ｎ＋２（ｎは４以上の偶数）の綜絖枠を備える織機による製織方法であって、織物の幅方向に連続する４本の経糸を一組とし、幅方向に順に第１〜第ｎ組と規定し、各組を構成する４本の経糸を幅方向に順に第１経糸、第２経糸、第３経糸、第４経糸と規定し、更に、第１〜第ｎ／２組のうちの任意の一組と、当該任意の一組から幅方向にｎ／２組離れた組を一対の関係とする関係付けを第１〜第ｎの全ての組に対して行なった上で、全ての組で第１経糸を第１綜絖枠の綜絖に通すと共に第２経糸を第２綜絖枠の綜絖に通し、一対の関係にある２つの組で第３経糸を引き込む綜絖枠と第４経糸を引き込む綜絖枠を反対にすると共に、第１〜第ｎ＋２綜絖枠のうち、第１及び第２綜絖枠以外の各綜絖枠については、第３経糸と第４経糸を一本ずつしか通さないことを特徴とする。

【００１０】
また、第１〜第ｎ＋２（ｎは４以上の偶数）の綜絖枠を備える織機による製織方法であって、織物の幅方向に連続する４本の経糸を一組とし、幅方向に順に第１〜第ｎ組と規定し、各組を構成する４本の経糸を幅方向に順に第１経糸、第２経糸、第３経糸、第４経糸と規定し、更に、第１〜第ｎ／２組のうちの任意の一組と、当該任意の一組から幅方向にｎ／２組離れた組を一対の関係とする関係付けを第１〜第ｎの全ての組に対して行なった上で、全ての組で第２経糸を第１綜絖枠の綜絖に通すと共に第４経糸を第２綜絖枠の綜絖に通し、一対の関係にある２つの組で第１経糸を引き込む綜絖枠と第３経糸を引き込む綜絖枠を反対にすると共に、第１〜第ｎ＋２綜絖枠のうち、第１及び第２綜絖枠以外の各綜絖枠については、第１経糸と第３経糸を一本ずつしか通さないことを特徴とする。

【００１１】
また、第１〜第ｎ＋２（ｎは４以上の偶数）の綜絖枠を備える織機による製織方法であって、織物の幅方向に連続する４本の経糸を一組とし、幅方向に順に第１〜第ｎ組と規定し、各組を構成する４本の経糸を幅方向に順に第１経糸、第２経糸、第３経糸、第４経糸と規定し、更に、第１〜第ｎ／２組のうちの任意の一組と、当該任意の一組から幅方向にｎ／２組離れた組を一対の関係とする関係付けを第１〜第ｎの全ての組に対して行なった上で、全ての組で第２経糸を第１綜絖枠の綜絖に通すと共に第３経糸を第２綜絖枠の綜絖に通し、一対の関係にある２つの組で第１経糸を引き込む綜絖枠と第４経糸を引き込む綜絖枠を反対にすると共に、第１〜第ｎ＋２綜絖枠のうち、第１及び第２綜絖枠以外の各綜絖枠については、第１経糸と第４経糸を一本ずつしか通さないことを特徴とする。
【発明の効果】
【００１２】
本発明の製織方法では、２本の経糸の引き込みを全ての組で共通にする。例えば図１の引込図に示すように第１経糸を第１綜絖枠の綜絖に通して、第４経糸を第２綜絖枠の綜絖に通す引き込みパターンを全ての組で共通にする。
これにより図２の組織図に示すように、製織過程において全ての組において第１経糸は第１綜絖枠の紋栓図に対応して上下動を行い、第４経糸は第２綜絖枠の紋栓図と対応して上下動を行う。
更に、一つの組と、この組から幅方向に（ｎ／２）組離れた組を一対として関係づける。例えば図３に示すように全６組（ｎ＝６）の場合に、第１組と、この組から幅方向に３組（＝６／２）離れた組である第４組（＝１＋（６／２））組を一対とし、第２組と第５組（＝２＋（６／２））組を一対とし、第３組（＝６／２）と第６組（＝３＋（６／２））を一対として関係づける。
そして、一対の組のうちの一方（例えば第１組）では、第２経糸を第１綜絖枠及び第２綜絖枠以外の第４綜絖枠の綜絖に通し、第３経糸を第１綜絖枠、第２綜絖枠及び第４綜絖枠以外の第３綜絖枠の綜絖に通す。
一対の組のうちの他方（例えば第４組）では第１組とは反対に第２経糸を第３綜絖枠の綜絖に通し、第３経糸を第４綜絖枠の綜絖に通す。
【００１３】
そして、同じく一対の関係にある第２組と第５組の場合、第２組では第２経糸を第６綜絖枠の綜絖、第３経糸を第５綜絖枠の綜絖に通し、第５組では第２経糸を第５綜絖枠の綜絖、第３経糸を第６綜絖枠の綜絖に通す。
このように、２本の経糸の引き込みを全ての組で共通にすると共に、残りの２本の経糸の引き込みを一対の組で反対にすると、図４の組織図に示すように一対の組のうちの一方が柄になる場合には他方で地になったり、あるいは後述するように一対の組のうちの一方で右上がりの綾目（斜文線）になる場合には他方で右下がりの綾目になる等の変化が表れる。そして、これを幅方向に隣り合う組で繋げることで、従来では困難だった図柄を描くことが可能になる。例えば図４に示す図柄は、従来は１２枚の綜絖枠を使用しなければならなかったが、本発明によると８枚の綜絖枠で実現できた。
【図面の簡単な説明】
【００１４】
【図１】本発明の製織方法を説明するための織方図の一部である。
【図２】本発明の製織方法を説明するための織方図の一部である。
【図３】本発明の製織方法を説明するための織方図の一部である。
【図４】本発明の製織方法を説明するための織方図である。
【図５】第１の実施の形態の織方図の一部である。
【図６】第１の実施の形態の織方図の一部である。
【図７】第１の実施の形態の織方図である。
【図８】第２の実施の形態の織方図である。
【図９】第２の実施の形態の織方図である。
【図１０】第２の実施の形態の織方図である。
【図１１】第３の実施の形態の織方図である。
【図１２】第４の実施の形態の織方図である。
【図１３】従来の織方図の一例である。
【発明を実施するための形態】
【００１５】
[第１の実施の形態]
本発明の製織方法の第１の実施の形態について図５及び図６を用いて説明する。
本実施の形態においては綜絖枠を８枚（ｎ＝６、ｎ＋２＝８）備えたドビー織機を用いている。
【００１６】
図５の引込図においては、最も織前側の綜絖枠（図中の最下方の枠）を第１綜絖枠、続く綜絖枠を織前から順に（図５の上方に）第２綜絖枠、・・・第８綜絖枠と規定している。また、織物の幅方向に並べた経糸において、連続する４本を一組とし、幅方向に第１組、第２組、・・・第６組（ｎ＝６）と規定している。黒で塗りつぶした方眼は各綜絖枠において経糸を通している位置を表している。
【００１７】
第１綜絖枠の綜絖には全ての組の第１経糸を通しており、第２綜絖枠の綜絖には全ての組の第４経糸を通している。
第３綜絖枠の綜絖には第１組の第２経糸と、第１組と一対の関係にある第４組（＝１＋（６／２））の第３経糸を通している。
第４綜絖枠の綜絖には第１組の第３経糸と、第４組の第２経糸を通している。
つまり、第２経糸と第３経糸の引き込みを一対の関係にある第１組と第４組とで反対にしている。
以下同様に、一対の関係にある第２組と第５組及び第３組と第６組で、それぞれ第２経糸と第３経糸の引き込みを反対にすることで、全８綜絖枠についての引き込みが完了する。
【００１８】
次に紋栓図を作成する。
図５の紋栓図においては図中の最左方から順に第１綜絖枠、第２綜絖枠、・・・第８綜絖枠としている。そして、連続する開口ステップにおいて黒で塗りつぶした綜絖枠を順次上昇させることで所定の経糸を上下方向に開口させ、杼口を形成するようになっている。
第１綜絖枠は１回目から４回目までの第１周期において１番目に上昇し、同様に５回目から８回目までの第２周期、９回目から１２回目までの第３周期・・・、２１回目から２４回目までの第６周期において１番目に上昇する。
第２綜絖枠は１回目から４回目までの第１周期において４番目に上昇し、同様に第２周期、第３周期・・・、第６周期において４番目に上昇する。
図５の組織図に示すように全ての組において第１経糸は第１綜絖枠の紋栓図に対応して上下動を行い、第４経糸は第２綜絖枠の紋栓図に対応して上下動を行うことになる。これによって第１経糸と第４経糸によって描かれる図柄が決定する。
【００１９】
次に、第３〜第８綜絖枠の動作について、第５綜絖枠と第６綜絖枠を例にして説明する。
まず第５綜絖枠は１回目から４回目までの第１周期においては３番目のステップで上昇している。そして、５回目から８回目までの第２周期においては２番目、すなわち６回目のステップでの上昇に変更され、以後、９回目から１２回目までの第３周期と１３回目から１６回目までの第４周期でも同様に２番目のステップ、すなわち１０回目と１４回目のステップで上昇する。そして、１７回目から２０回目までの第５周期においては３番目、すなわち１９回目のステップでの上昇に戻り、以後、２１回目から２４回目までの第６周期でも同様に３番目のステップ、すなわち２３回目のステップで上昇する。
【００２０】
これに対して第６綜絖枠は１回目から４回目までの第１周期においては２番目のステップで上昇している。そして、５回目から８回目までの第２周期においては３番目、すなわち７回目のステップでの上昇に変更され、以後、９回目から１２回目までの第３周期と１３回目から１６回目までの第４周期でも同様に３番目のステップ、すなわち１１回目と１５回目のステップで上昇する。そして、１７回目から２０回目までの第５周期においては２番目、すなわち１８回目のステップでの上昇に戻り、以後、２１回目から２４回目までの第６周期でも同様に２番目のステップ、すなわち２２回目のステップで上昇する。
【００２１】
次に、第２組と第５組の組織図に表れる図柄について説明する。
上述の通り、第２組と第５組は共にその第１経糸が第１綜絖枠の綜絖に通されているので、組織図には第１綜絖枠の紋栓図と同じく、第１周期（１〜４回目のステップ）から第６周期（２１〜２４回目のステップ）まで１番目に第１経糸が浮かび上がる図柄が描かれる。
同様に第２組と第５組は共にその第４経糸が第２綜絖枠の綜絖に通されているので、組織図には第２綜絖枠の紋栓図と同じく、第１周期（１〜４回目のステップ）から第６周期（２１〜２４回目のステップ）まで４番目に第１経糸が浮かび上がる図柄が描かれる。
【００２２】
次に第２組の第２経糸をみると、上述の通り第５綜絖枠の綜絖に通されているので、図６の組織図には第５綜絖枠の紋栓図と同じく、第１周期（１〜４回目のステップ）では３番目に第２経糸が浮かび上がり、第２周期（５〜８回目のステップ）から第４周期（１３〜１６回目のステップ）では２番目に第２経糸が浮かび上がり、第５周期（１７〜２０回目のステップ）と第６周期（２１〜２４回目のステップ）では３番目に第２経糸が浮かび上がる図柄が描かれる。
そして第２組の第３経糸をみると、上述の通り第６綜絖枠の綜絖に通されているので、組織図には第６綜絖枠の紋栓図と同じく、第１周期（１〜４回目のステップ）では２番目に第３経糸が浮かび上がり、第２周期（５〜８回目のステップ）から第４周期（１３〜１６回目のステップ）では３番目に第３経糸が浮かび上がり、第５周期（１７〜２０回目のステップ）と第６周期（２１〜２４回目のステップ）では２番目に第３経糸が浮かび上がる図柄が描かれる。
【００２３】
次に第５組の第２経糸を見ると、上述の通り第６綜絖枠の綜絖に通されているので、組織図には第６綜絖枠の紋栓図と同じく、すなわち第２組の第３経糸と同じく、第１周期（１〜４回目のステップ）では２番目に第３経糸が浮かび上がり、第２周期（５〜８回目のステップ）から第４周期（１３〜１６回目のステップ）では３番目に第３経糸が浮かび上がり、第５周期（１７〜２０回目のステップ）と第６周期（２１〜２４回目のステップ）では２番目に第３経糸が浮かび上がる図柄が描かれる。
次に第５組の第３経糸を見ると、上述の通り第５綜絖枠の綜絖に通されているので、組織図には第５綜絖枠の紋栓図と同じく、すなわち第２組の第２経糸と同じく、第１周期（１〜４回目のステップ）では３番目に第２経糸が浮かび上がり、第２周期（５〜８回目のステップ）から第４周期（１３〜１６回目のステップ）では２番目に第２経糸が浮かび上がり、第５周期（１７〜２０回目のステップ）と第６周期（２１〜２４回目のステップ）では３番目に第２経糸が浮かび上がる図柄が描かれる。
【００２４】
このように、一対の関係にある第２組と第５組とで、第２経糸と第３経糸の引き込みを反対にした場合、第２組では第２経糸と第３経糸によって右上がりの図柄が描かれ、第５組では第２経糸と第３経糸によって左上がりの図柄が描かれる。これら図柄と、第１経糸及び第４経糸によって各組共通で描かれる図柄とを組み合わせることで、第２組で全体として右上がりの綾目が描かれるステップでは第５組で経糸が点在した図柄が描かれ、第５組で全体として右上がりの綾目が描かれるステップでは第２組で経糸が点在した図柄が描かれることになる。
このような引き込みパターンを一対の関係にある第１組と第４組、第３組と第６組でも行うことで、図７に示すように、各図柄が連続的に繋がり、全体として１/３の右上がりの綾目と４枚のトルコサテンとで構成される図柄を描くことができる。このような図柄は順通し、山道通し、飛通し、破れ通し等の織物設計において従来一般的に行われている引き込みパターンでは実現困難であった。
【００２５】
[第２の実施の形態]
次に、本発明の第２の実施の形態について説明する。
まず図８に示すように、第３、第５、第７綜絖枠が第１〜第６までの全て周期において１番目で上昇し、第４、第６、第８綜絖枠が第１〜第６までの全て周期において３番目で上昇するように紋栓図を作成すると、１/３の右上がりの綾目と右下がりの綾目による、第３組の第４経糸を対象軸としたヘリンボンを描くことができる。このような図柄は従来の山道通しでも描くことができる。
【００２６】
次に図９に示すように、第１綜絖枠が第１〜第６までの全ての周期において２番目と３番目に上昇し、第２綜絖枠が第１〜第６までの全ての周期において１番目と４番目に上昇する。また、第３、第５、第７綜絖枠が第１〜第６までの全て周期において１番目と２番目で上昇し、第４、第６、第８綜絖枠が第１〜第６までの全て周期において３番目と４番目で上昇するように紋栓図を作成する。この場合、２/２の右上がりの綾目と右下がりの綾目による、第３組の第４経糸を対象軸としたヘリンボンを描くことができる。このような図柄も従来の山道通しで描くことができる。
【００２７】
しかし、図１０に示すように、第３綜絖枠が５回目から８回目までの第２周期において３番目と４番目での上昇に変更し、以後、第６周期まで３番目と４番目で上昇し、第４綜絖枠が５回目から８回目までの第２周期において１番目と２番目で上昇し、以後、第６周期まで１番目と２番目で上昇するような紋栓図を作成する。
この場合、一完全組織の中に、図９と同じ位置となる対象軸１以外に、第１組の第４経糸による対象軸２と、第４組の第４経糸による対象軸３の３つの対象軸が表れるヘリンボンを描くことができる。換言すると、対象軸が幅方向に移動するヘリンボンを描くことができる。
【００２８】
このような複数の対象軸が表れる（対象軸がずれる）ヘリンボンは従来の引き込み法、例えば山道通しでは実現できないものである。すなわち、本発明では、経糸の引き込みを変えずに、紋栓図のみを変えることで、従来の引き込み法で描くことができる図８及び図９のヘリンボンのみならず、従来の引き込み法では描くことができない図１０のようなヘリンボンを描くことができる。
なお、一般的にヘリンボンとは、綾目の頂点箇所（屈曲箇所）で隣り合う２本の経糸の浮き沈みが逆転した図柄を指すが、本明細書においては図８〜図１０に示すような図柄もヘリンボンに含むものとする。
【００２９】
[第３の実施の形態]
次に、本発明の第３の実施の形態について図１１を用いて説明する。
本実施の形態が上記実施の形態と異なる点は、第１綜絖枠の綜絖に全ての組の第２経糸を通す点である。すなわち、第２経糸と第４経糸の引き込みを各組で共通にして、第１経糸と第３経糸の引き込みパターンを、一対の関係にある組（例えば第１組と第４組）で反対にする点である。
これにより、ヘリンボンの上に１/３の右上がりの綾目が入った図柄を描くことができる。
【００３０】
[第４の実施の形態]
次に、本発明の第４の実施の形態について図１２を用いて説明する。
本実施の形態が上記実施の形態と異なる点は、第１綜絖枠が第１周期から第６周期まで常に２番目と３番目に上昇し、第２綜絖枠が第１周期から第６周期まで常に１番目と４番目に上昇する点と、第３〜第８綜絖枠についても上昇を２回のステップで連続しておこなう点である。
このようにすることで、図１１の図柄と比較して線の上下方向の幅が厚くなるため、図柄を際立たせることができる。
【００３１】
なお、上記各実施の形態では、最も織前側の綜絖枠を第１綜絖枠、続く綜絖枠を第２綜絖枠としたが、これに限らず任意の２枚、例えば全８枚の綜絖枠のうち織前側から３番目と７番目の２枚の綜絖枠をそれぞれ本発明における第１綜絖枠と第２綜絖枠としてもよい。すなわち、２本の経糸を各組共通で引き込むことになる２枚の綜絖枠をそれぞれ第１綜絖枠、第２綜絖枠とすればよい。
また、上記実施の形態を応用すれば経糸を８本、１２本、・・・と、４の倍数本で１組とすることも可能であり、綜絖枠を８枚以上用いることも可能である。
また、綜絖枠の上下動パターンについて２４回目のステップまでしか表していないが、２５回目のステップ以後は再び１〜２４回目の上下動パターンを繰り返したり、あるいは全く異なる上下動パターンを採用することにしてもよい。
【００３２】
また、本発明はドビー織機に限らず、フライシャトル織機、シャトルレス織機などにも適用可能である。
また、ドビー織機に適用する場合には綜絖枚数は６枚以上であればよい。
また、本発明の製織方法をソフトウェアのプログラムに組み込むことにしてもよい。
【産業上の利用可能性】
【００３３】
本発明は、これまで困難であった図柄を描くことができる製織方法に関するものであり、産業上の利用可能性を有する。
【要約】
【課題】これまで困難であった図柄を描くことができる製織方法を提供する。
【解決手段】
第１〜第ｎ＋２（ｎは２以上の偶数）の綜絖枠を備える織機による製織方法であって、織物の幅方向に連続する４本の経糸を一組とし、幅方向に順に第１〜第ｎ組と規定すると共に、各組を構成する４本の経糸を幅方向に順に第１経糸、第２経糸、第３経糸、第４経糸と規定した場合に、全ての組で第１経糸を第１綜絖枠の綜絖に通すと共に第４経糸を第２綜絖枠の綜絖に通しておき、第１組では、第２経糸を第１綜絖枠及び第２綜絖枠以外の第ｎ１綜絖枠の綜絖に通すと共に第３経糸を第１綜絖枠、第２綜絖枠及び第ｎ１綜絖枠以外の第ｎ２綜絖枠の綜絖に通し、第（１＋（ｎ／２））組では、第２経糸を第ｎ２綜絖枠の綜絖に通し、第３経糸を第ｎ１綜絖枠の綜絖に通し、以下、同様の手順を第（ｎ／２）組と第ｎ組まで繰り返し行う。
【選択図】図１【図１】
0005405681.tif 000002
【図２】
0005405681.tif 000003
【図３】
0005405681.tif 000004
【図４】
0005405681.tif 000005
【図５】
0005405681.tif 000006
【図６】
0005405681.tif 000007
【図７】
0005405681.tif 000008
【図８】
0005405681.tif 000009
【図９】
0005405681.tif 000010
【図１０】
0005405681.tif 000011
【図１１】
0005405681.tif 000012
【図１２】
0005405681.tif 000013
【図１３】
0005405681.tif 000014